(57)【特許請求の範囲】
【請求項１】
ティー、定位台、環状定位部より構成される調整可能なゴルフティーにおいて、
前記ティーは、本体、本体上に垂直方向に間隔を空けて設けた複数の定位部、並びに本体上端に比較的大きな外径を有して形成したボール受けを備え、しかも、本体下端には杭部を形成し、
前記定位台は、弾性素材で作製し、下方にはストッパーを設け、並びに、ストッパー中央には外径の比較的小さい固定部を延伸し、前記固定部中央にはティー本体を嵌合する貫通穴を形成し、並びに、貫通穴内側壁にはティーの定位部に対応させる定位点を設け、固定部外側には壁面を形成し、
前記環状定位部は、定位台固定部の外側壁面に符合させる中空の挿入穴を設けることを特徴とする調整可能なゴルフティー。
【請求項２】
請求項１記載の調整可能なゴルフティーにおいて、前記ティーの定位部を凹み体とし、定位台の定位点を定位部に対応する突出体とするか、ティーの定位部を突出体とし、定位台の定位点を定位部に対応する凹み体とすることを特徴とする調整可能なゴルフティー。
【請求項３】
請求項１記載の調整可能なゴルフティーにおいて、前記ティーの定位部は環状溝とし、定位台の定位点を定位部に対応する環状突出レールとするか、ティーの定位部を環状突出レールとし、定位台の定位点を定位部に対応する環状溝とすることを特徴とする調整可能なゴルフティー。
【請求項４】
請求項１記載の調整可能なゴルフティーにおいて、前記定位台の弾性素材はシリカゲル、ゴム、弾性樹脂の何れかであることを特徴とする調整可能なゴルフティー。
【請求項５】
請求項１記載の調整可能なゴルフティーにおいて、前記定位台の固定部の垂直方向には最低一つの垂直状スリットを設けることを特徴とする調整可能なゴルフティー。
【請求項６】
請求項１記載の調整可能なゴルフティーにおいて、前記環状定位部の内壁面には定位台のスリットの大きさに符合する突出部を垂直に設けることを特徴とする調整可能なゴルフティー。
【請求項７】
請求項１記載の調整可能なゴルフティーにおいて、前記ティー表面の杭部に近い箇所に脱落防止部を設け、脱落防止部は突出点及び環状突出レールとすることを特徴とする調整可能なゴルフティー。
【請求項８】
請求項１記載の調整可能なゴルフティーにおいて、前記定位台のストッパーには紐通し孔を備え、紐通し孔には連結紐を内設、連結紐の両側末端にはそれぞれ、直径が紐通し孔より大きい圧止部を設けることを特徴とする調整可能なゴルフティー。
【発明の詳細な説明】
【技術分野】
【０００１】
本発明は、調整可能なゴルフティーを提供し、特に、環状定位部と定位台を順序よくティー本体に嵌入するのと同時に、定位台の定位点を本体で上下移動調整し定位部に嵌合することにより高さ定位を行い、並びに、環状定位部を定位台に嵌合すると緊密な定位が形成され、プレーヤーの指定する、異なるボール受けの高さに合わせて、ショットの正確度を高める目的を達成する。
【背景技術】
【０００２】
休暇の時にゴルフを運動とする人々が徐々に増加していることから、ゴルフは益々盛んになり、一般にゴルフボールをショットする時は、ゴルフボールをゴルフティーの上においてボールショットを便利にしている。各プレーヤーの身長、肩幅、クラブの握り方、ショット姿勢、並びにゴルフ場の地形等が異なることが原因となり、適当な高さのゴルフティーはプレーヤーが最良のショット姿勢でゴルフボールのセンターを打つのを助け、並びに、最大のショット作用力を引き起こす。しかし、ゴルフティーの高さが低すぎれば、プレーヤーはクラブの握り方やショット姿勢を変更しなければならず、プレーヤーの姿勢によってショット力も完全に発揮することは不可能となり、また、ゴルフティーが高すぎれば、プレーヤーはゴルフボールの上縁または下縁をショットし易くなるので、ショットの正確度に影響を及ぼし、誤ってクラブでボール受け部分を打ってしまうことさえもある。
【０００３】
前述した通り、ゴルフティーを使用する場合、次の欠点が存在する。
（１）現在使用しているゴルフティーは、木製、プラスチック製の杭と受け台により構成され、ティー本体上にネジを設け、対応する受け台の貫通穴内のネジとの嵌合により、プレーヤーの必要高さまで上下位置調整して定位するものである。しかしプレーヤーがクラブを振った時、誤ってティーのボール受け台を打ってしまった場合、ティー本体上のネジと受け台貫通穴内のネジはぶつかった衝撃を受けて変形し、ティーの本体と受け台の貫通穴内のネジは二度と定位及び使用が不可能となる。
（２）現在使用されているゴルフティーは、杭と受け台により構成され、受け台貫通穴のネジ及び杭本体のネジを通し、杭が受け台の貫通穴内を回転し、且つ垂直上下運動によって位置を調整し、並びに、位置調整後、更に杭をグラウンド面に挿入する。よって数回使用した後は、杭上のネジと受け台貫通穴内のネジに砂が入り込み、杭に再度受け台の貫通穴を挿入して高さ調整をする時、ティーを受け台貫通穴内で回転させて高さの上下調整を行うのが難しくなる。
（３）杭上のネジと受け台貫通穴のネジを組み合わせてティーの高さを正確に定位調整する故、ティーのネジと受け台の貫通穴内のネジを加工成形する時、正確度を高くしなければならず、加工困難度及びコスト向上を生じ、大量生産は不可能である。
【発明の概要】
【発明が解決しようとする課題】
【０００４】
本発明の主な目的は、ティー上に順序通りに、定位台と中空の挿入穴を備える環状定位部を設け、本体上に垂直方向に間隔を空けた複数の定位部を設け、定位台の貫通穴の内壁面には定位点を設け、定位台の貫通穴に本体を貫入した後、定位台の定位点を上下位置移動して本体上の垂直方向に間隔を空けた複数の定位部を調整し、定位台の定位点は、対応するプレーヤー指定の定位部に嵌合して簡易定位を行い、並びに、環状定位部を定位台に嵌入して密着定位させることにより、プレーヤーの指定する、異なるボール受けの高さに符合し、ショットの正確性を高める目的を達成する調整可能なゴルフティーの提供にある。
【０００５】
本発明の次の目的は、定位台のストッパーに貫通する紐通し孔を備え、且つ連結紐の末端には、直径が紐通し孔より大きい圧止部をそれぞれ設けて、連結紐がストッパーの紐通し孔を離脱するのを防止し、一本の連結紐で他のティーを連結し、一つのティーがショット後に外側に飛んで行った時でも、連結紐一端のもう一つのティーの牽引力によって制限されて外側に飛んだティーを引き戻す故、ティーの遺失を効果的に防ぎ、繰り返し使用でき、ティー遺失の為の再購入による支出を節約することが可能となる調整可能なゴルフティーを提供することにある。
【課題を解決するための手段】
【０００６】
請求項１の発明は、ティー、定位台、環状定位部より構成される調整可能なゴルフティーにおいて、
前記ティーは、本体、本体上に垂直方向に間隔を空けて設けた複数の定位部、並びに本体上端に比較的大きな外径を有して形成したボール受けを備え、しかも、本体下端には杭部を形成し、
前記定位台は、弾性素材で作製し、下方にはストッパーを設け、並びに、ストッパー中央には外径の比較的小さい固定部を延伸し、前記固定部中央にはティー本体を嵌合する貫通穴を形成し、並びに、貫通穴内側壁にはティーの定位部に対応させる定位点を設け、固定部外側には壁面を形成し、
前記環状定位部は、定位台固定部の外側壁面に符合させる中空の挿入穴を設けることを特徴とする調整可能なゴルフティーとしている。
請求項２の発明は、請求項１記載の調整可能なゴルフティーにおいて、前記ティーの定位部を凹み体とし、定位台の定位点を定位部に対応する突出体とするか、ティーの定位部を突出体とし、定位台の定位点を定位部に対応する凹み体とすることを特徴とする調整可能なゴルフティーとしている。
請求項３の発明は、請求項１記載の調整可能なゴルフティーにおいて、前記ティーの定位部は環状溝とし、定位台の定位点を定位部に対応する環状突出レールとするか、ティーの定位部を環状突出レールとし、定位台の定位点を定位部に対応する環状溝とすることを特徴とする調整可能なゴルフティーとしている。
請求項４の発明は、請求項１記載の調整可能なゴルフティーにおいて、前記定位台の弾性素材はシリカゲル、ゴム、弾性樹脂の何れかであることを特徴とする調整可能なゴルフティーとしている。
請求項５の発明は、請求項１記載の調整可能なゴルフティーにおいて、前記定位台の固定部の垂直方向には最低一つの垂直状スリットを設けることを特徴とする調整可能なゴルフティーとしている。
請求項６の発明は、請求項１記載の調整可能なゴルフティーにおいて、前記環状定位部の内壁面には定位台のスリットの大きさに符合する突出部を垂直に設けることを特徴とする調整可能なゴルフティーとしている。
請求項７の発明は、請求項１記載の調整可能なゴルフティーにおいて、前記ティー表面の杭部に近い箇所に脱落防止部を設け、脱落防止部は突出点及び環状突出レールとすることを特徴とする調整可能なゴルフティーとしている。
請求項８の発明は、請求項１記載の調整可能なゴルフティーにおいて、前記定位台のストッパーには紐通し孔を備え、紐通し孔には連結紐を内設、連結紐の両側末端にはそれぞれ、直径が紐通し孔より大きい圧止部を設けることを特徴とする調整可能なゴルフティーとしている。
【発明の効果】
【０００７】
本発明の調整可能なゴルフティーは、プレーヤーの指定する、異なるボール受けの高さに符合し、ショットの正確性を高める目的を達成し、また、ティーの遺失を効果的に防ぎ、繰り返し使用でき、ティー遺失の為の再購入による支出を節約する効果を有する。
【図面の簡単な説明】
【０００８】
【図１】本発明の実施例に関する外観図である。
【図２】本発明の実施例に関する分解図である。
【図３】本発明の実施例に関する断面図である。
【図４】本発明の実施例を調整する際の外観図である。
【図５】本発明の実施例を使用する際の側面断面図である。
【図６】本発明の実施例２に関する分解図である。
【図７】本発明の実施例３に関する断面図である。
【図８】本発明の実施例４に関する外観図である。
【発明を実施するための形態】
【０００９】
図１乃至図５に、本発明の実施例に関する外観図、分解図、断面図、調整する際の外観図、使用する際の側面断面図を示す。図中からわかる通り、本発明の調整可能なゴルフティーはティー１、定位台２、及び環状定位部３より構成される。
ティー１の本体１１上には垂直方向に間隔を空けた複数の定位部１１１を設け、並びに、本体１１上端には、比較的大きな外径を有し、且つ、ゴルフボールを置く為のボール受け１２を形成し、ボール受け１２中央点面には窪みのある凹部１２１を設け、本体１１下端には徐々に小さくなる杭部１３を形成する。
定位台２底部にはストッパー２１を設け、並びに、ストッパー２１中央には外径の比較的小さい固定部２２を延伸し、前記固定部２２中央にはティー１本体１１を嵌合する貫通穴２２１を形成し、並びに、貫通穴２２１内側には本体１１の定位部１１１に対応させる一つ以上の定位点２２１１を設け、固定部２２外側には壁面２２２を設け、固定部２２の垂直方向には一つ若しくは一つ以上のスリット２２３を備える。
環状定位部３には中空の挿入穴３１を設け、挿入穴３１内径は定位台２の固定部２２の壁面２２２に符合させる。
【００１０】
前記構成要素を使用する場合、先ず、環状定位部３の挿入穴３１をティー１本体１１に貫入すると、ティー１のボール受け１２が環状定位部３で止まり本体１１の外に滑り出さないようにする。本体１１を定位台２の貫通穴２２１を貫通した時、定位台２の固定部２２表面に設けたスリット２２３がその変形の余裕を増加でき、これにより、本体１１を定位台２の貫通穴２２１にスムーズに通過させた後、定位台２の定位点２２１１を、本体１１上の垂直方向に間隔を空けた複数の定位部１１１で上下に位置移動させて高さの調整をし、定位台２の定位点２２１１をプレーヤーの指定する定位部１１１に合わせて嵌合して簡単な定位を行い、並びに、環状定位部３を定位台２の固定部２２に嵌合する。この様にして、ティー１と定位台２間には密着した定位が形成され、定位台２のストッパー２１の制御によって、環状定位部３の固定部２２からの滑り落ち防止、及び、ティー１のグラウンド面への埋め込み深さを制限する。これにより、各プレーヤーは、ゴルフボールの最良打撃点をショット可能となり、同時に、定位台２の定位点２２１１が複数の定位部１１１に対応してティー１のボール受け高さの調整が可能となる。よって、プレーヤーの異なる打撃習慣に基づき、ティー１のグラウンド面への埋め込み深さを調整して、異なるプレーヤーに適当なボール受け高さを正確に提供し、また、異なるプレーヤーであっても、最良打撃点をショット可能となる。
【００１１】
また、ティー１本体１１の定位部１１１を凹み体とし、それに対応する定位台２の定位点２２１１を突出体とする。また、ティー１本体１１の定位部１１１は突出体とし、それに対応する定位台２の定位点２２１１を凹み体とし、嵌合定位する効果を達成することも可能である。この種の簡易修飾及び同等効果の構造変化は全て、本発明の特許請求の範囲内に含むことを茲に明記する。
【００１２】
図６に、本発明の実施例２に関する分解図を示す。図中に示す通り、環状定位部３の内壁面には一つ若しくは一つ以上の垂直状の突出部３２を設け、突出部３２は定位台２のスリット２２３の大きさに符合する。
【００１３】
また、ティー１本体１１の定位部１１１と杭部１３間には脱落防止部１４を設け、脱落防止部１４は一つ以上の突出点及び環状の突出レールであり、脱落防止部１４の設定高さは、プレーヤーが本体１１を定位台２に挿入した時、脱落防止部１４が定位台２の固定部２２に接触して弾性変形を生じ、丁度、本体１１を固定部２２の貫通穴２２１に通過させるものである。環状定位部３を定位台２の固定部２２から引き抜き、定位台２の定位点２２１１を本体１１上で上下移動し位置調整を行う場合、本体１１脱落防止部１４は定位台２のストッパー２１に止まり、ティー１と定位台２が滑って分離し易いのを防ぐ。ティー１を定位台２から引き抜こうとする場合、本体１１に力を加えると本体１１の脱落防止部１４が定位台２のストッパー２１に接触して弾性変形を起こし、丁度、本体１１を定位台２から抜き取ることが可能となる。
【００１４】
図７に、本発明の実施例３に関する断面図を示す。図中に示す通り、本体１１の定位部１１１は環状溝とし、対応する定位台２の定位点２２１１は環状突出レールとする。または、本体１１の定位部１１１を環状突出レールとし、対応する定位台２の定位点２２１１を環状溝とすることも可能であり、これにより堅固な定位を確実にする。
【００１５】
図８に、本発明の実施例４に関する外観図を示す。図中に示す通り、定位台２のストッパー２１には紐通し孔２１１を備え、最低一本の連結紐４及び二つの定位台２で二本の異なる高さの本体１１を連結し、且つ連結紐４の末端には直径が紐通し孔２１１より大きい圧止部４１を設け、連結紐４がストッパー２１の紐通し孔２１１を離脱するのを防止する。使用時は、ティー１はプレーヤーの使用するクラブ種類に応じて、異なる高さのティー１及び本体１１に組み合わせる定位部１１１によって、更に広い範囲での高さ選択を提供することが可能で、ショットの正確さを高める目的を達成する。また、任意のティー１をそれぞれ異なる方向の目標線に置いて、多方向の照準線を形成する。
【００１６】
また、定位台２に連結紐４を貫入した二組のティー１をそれぞれグラウンド面に挿入する。よって、一つのティー１がショット後に外側に飛んで行った時、連結紐４一端のもう一つのティー１の牽引力によって制限されて外側に飛んだティー１を引き戻し、ティー１の遺失を効果的に防止し、ティー１を再度使用できる故、ティー１遺失の為の再購入による支出を節約することが可能となる。
【００１７】
また、図１、図６に示す通り、定位台２の固定部２２には垂直方向に一つか一つ以上のスリット２２３を設け、スリット２２３の設置により、固定部２２は、本体１１を移動する場合、定位点２２１１の生じる非平坦状態により弾性変形する空間を備える。また、スリット２２３を設置しない場合、その定位台２は弾性素材で作製することも可能であり、定位台２の弾性素材はシリカゲル、ゴム、弾性樹脂、或いは弾性変形可能な素材により作製する。
【００１８】
本発明の調整可能なゴルフティーにおける公知技術の重要な改善点は次の通りである。
（１）本発明の調整可能なゴルフティーの定位台２は、弾性素材により作製され、ティー１の本体１１が定位台２の貫通穴２２１を通過する時、定位台２の固定部２２表面に設けたスリット２２３により弾性変形の余裕度が増え、よって、本体１１を定位台２の貫通穴２２１をスムーズに通過した後、定位台２の定位点２２１１は対応するプレーヤーの指定する定位部１１１に嵌合して簡易定位を形成し、しかもこの種の構造は公知技術のようなネジ方式による破損し易い欠点が無く、簡便操作、安定構造、並びに破損し易い長所を達成するものである。
（２）本発明の定位台２の定位点２２１１と本体１１の定位部１１１は相互に嵌合して簡易定位した後、更に環状定位部３を定位台２の壁面２２２に嵌着して密着定位を行い、ティー１の本体１１を定位台２に更に堅固な定位を加え、プレーヤーのショット時にクラブでボール受け１２を誤打することにより本体１１の定位部１１１が定位台２の定位点２２１１から滑って離脱するのを防ぐ。
（３）本発明のティー１の本体１１と定位台２の固定部２２は、定位台２のスリット２２３の弾性変形、及び環状定位部３を定位台２の壁面２２２に嵌着して密着定位を行うことにより、本体１１と固定部２２には定位部１１１及び定位点２２１１を設けるだけで、定位し、調整可能なゴルフティーに泥砂が入った時、本体１１の定位部１１１及び定位台２の定位点２２１１に入り込んだ砂を簡単に除去できる。
【符号の説明】
【００１９】
１  ティー
１１  本体
１１１  定位部
１２  ボール受け
１２１  凹部
１３  杭部
１４  脱落防止部
２  定位台
２１  ストッパー
２１１  紐通し孔
２２  固定部
２２１  貫通穴
２２１１  定位点
２２２  壁面
２２３  スリット
３  環状定位部
３１  挿入穴
３２  突出部
４  連結紐
４１  圧止部
【図１】
0004795450.tif 000002
【図２】
0004795450.tif 000003
【図３】
0004795450.tif 000004
【図４】
0004795450.tif 000005
【図５】
0004795450.tif 000006
【図６】
0004795450.tif 000007
【図７】
0004795450.tif 000008
【図８】
0004795450.tif 000009